(57)【要約】【課題】テレビ番組に対応するキーワードを使用して、情報端末に配信されたコンテンツをフィルタリングすることによって、録画されたテレビ番組を鑑賞する前に該テレビ番組に関する情報を含むコンテンツを前記情報端末から出力させないようにして、録画されたテレビ番組を十分に楽しむことができるようにする。【解決手段】コンテンツを配信するコンテンツ提供サーバと、前記コンテンツを受信し、かつ、テレビ番組を録画する情報端末１１と、各テレビ番組に対応するフィルタリングキーワードを配信するキーワード提供サーバ２１とを有し、前記情報端末１１は、録画するテレビ番組に対応するフィルタリングキーワードを受信し、該フィルタリングキーワードを使用して前記コンテンツをフィルタリングする。【選択図】図１
2005210501.tif 000002
【特許請求の範囲】
【請求項１】
（ａ）コンテンツを配信するコンテンツ提供サーバと、
（ｂ）前記コンテンツを受信し、かつ、テレビ番組を録画する情報端末と、
（ｃ）各テレビ番組に対応するフィルタリングキーワードを配信するキーワード提供サーバとを有し、
（ｄ）前記情報端末は、録画するテレビ番組に対応するフィルタリングキーワードを受信し、該フィルタリングキーワードを使用して前記コンテンツをフィルタリングすることを特徴とするコンテンツ抑制システム。
【請求項２】
前記情報端末は、録画するテレビ番組に関する情報を含むコンテンツを抑制して出力しない請求項１に記載のコンテンツ抑制システム。
【請求項３】
前記情報端末は、録画されたテレビ番組の再生が終了すると前記テレビ番組に関する情報を含むコンテンツの抑制を解除し、出力することができるようにする請求項２に記載のコンテンツ抑制システム。
【請求項４】
前記情報端末は、録画されたテレビ番組の再生が終了するまでは、テレビ受像器としての機能の自動起動を行わない請求項１〜３のいずれか１項に記載のコンテンツ抑制システム。
【請求項５】
（ａ）コンテンツを配信するコンテンツ提供サーバと、
（ｂ）前記コンテンツを受信し、かつ、テレビ番組を録画するホームサーバと、
（ｃ）各テレビ番組に対応するフィルタリングキーワードを配信するキーワード提供サーバとを有し、
（ｄ）前記ホームサーバは、録画するテレビ番組に対応するフィルタリングキーワードを受信し、該フィルタリングキーワードを使用して前記コンテンツをフィルタリングして情報端末に送信することを特徴とするコンテンツ抑制システム。
【請求項６】
前記ホームサーバは、録画するテレビ番組に関する情報を含むコンテンツを抑制して前記情報端末に送信しない請求項５に記載のコンテンツ抑制システム。
【請求項７】
前記ホームサーバは、録画されたテレビ番組の再生が終了すると前記テレビ番組に関する情報を含むコンテンツの抑制を解除し、前記情報端末に送信することができるようにする請求項６に記載のコンテンツ抑制システム。
【請求項８】
前記フィルタリングキーワードは、テレビ番組が終了すると追加設定される請求項１〜７のいずれか１項に記載のコンテンツ抑制システム。
【発明の詳細な説明】
【技術分野】
【０００１】
本発明は、コンテンツ抑制システムに関するものである。
【背景技術】
【０００２】
従来、自動車等の車両に搭載されたナビゲーション装置においては、運転者等のユーザが所定の入力部を操作して目的地を設定すると、該目的地、及び、現在位置検出処理部によって検出された車両の現在位置に基づいて、該現在位置から目的地までの経路が探索され、探索された経路が案内される。また、近年では、情報センタ等から配信されるニュース、電子メール等の各種コンテンツを取得して表示するナビゲーション装置が提案されている（例えば、特許文献１参照。）。これにより、ユーザは、車両に乗車中であってもナビゲーション装置を操作することによって、ニュース、電子メール等の各種コンテンツを把握することができる。
【特許文献１】特開平１０−２４１０９５号公報
【発明の開示】
【発明が解決しようとする課題】
【０００３】
しかしながら、前記従来のナビゲーション装置においては、ニュース、電子メール等の各種コンテンツがその内容に関わらずに表示されるので、放映されたテレビ番組を録画しても十分に楽しむことができない場合がある。例えば、放映されたスポーツの試合を録画した場合であって未だ鑑賞していないときに、表示されたニュースや電子メールによって前記試合の結果が判明してしまうことがある。このような場合、前記ユーザは、前記試合を鑑賞しても結果が分かっているので十分に楽しむことができなくなってしまう。
【０００４】
本発明は、前記従来の問題点を解決して、テレビ番組に対応するキーワードを使用して、情報端末に配信されたコンテンツをフィルタリングすることによって、録画されたテレビ番組を鑑賞する前に該テレビ番組に関する情報を含むコンテンツを前記情報端末から出力させないようにして、録画されたテレビ番組を十分に楽しむことができるコンテンツ抑制システムを提供することを目的とする。
【課題を解決するための手段】
【０００５】
そのために、本発明のコンテンツ抑制システムにおいては、コンテンツを配信するコンテンツ提供サーバと、前記コンテンツを受信し、かつ、テレビ番組を録画する情報端末と、各テレビ番組に対応するフィルタリングキーワードを配信するキーワード提供サーバとを有し、前記情報端末は、録画するテレビ番組に対応するフィルタリングキーワードを受信し、該フィルタリングキーワードを使用して前記コンテンツをフィルタリングする。
【０００６】
本発明の他のコンテンツ抑制システムにおいては、さらに、前記情報端末は、録画するテレビ番組に関する情報を含むコンテンツを抑制して出力しない。
【０００７】
本発明の更に他のコンテンツ抑制システムにおいては、さらに、前記情報端末は、録画されたテレビ番組の再生が終了すると前記テレビ番組に関する情報を含むコンテンツの抑制を解除し、出力することができるようにする。
【０００８】
本発明の更に他のコンテンツ抑制システムにおいては、さらに、前記情報端末は、録画されたテレビ番組の再生が終了するまでは、テレビ受像器としての機能の自動起動を行わない。
【０００９】
本発明の更に他のコンテンツ抑制システムにおいては、コンテンツを配信するコンテンツ提供サーバと、前記コンテンツを受信し、かつ、テレビ番組を録画するホームサーバと、各テレビ番組に対応するフィルタリングキーワードを配信するキーワード提供サーバとを有し、前記ホームサーバは、録画するテレビ番組に対応するフィルタリングキーワードを受信し、該フィルタリングキーワードを使用して前記コンテンツをフィルタリングして情報端末に送信する。
【００１０】
本発明の更に他のコンテンツ抑制システムにおいては、さらに、前記ホームサーバは、録画するテレビ番組に関する情報を含むコンテンツを抑制して前記情報端末に送信しない。
【００１１】
本発明の更に他のコンテンツ抑制システムにおいては、さらに、前記ホームサーバは、録画されたテレビ番組の再生が終了すると前記テレビ番組に関する情報を含むコンテンツの抑制を解除し、前記情報端末に送信することができるようにする。
【００１２】
本発明の更に他のコンテンツ抑制システムにおいては、さらに、前記フィルタリングキーワードは、テレビ番組が終了すると追加設定される。
【発明の効果】
【００１３】
本発明によれば、録画されたテレビ番組を鑑賞する前に該テレビ番組に関する情報を含むコンテンツが情報端末から出力されないので、ユーザは、録画されたテレビ番組を十分に楽しむことができる。
【発明を実施するための最良の形態】
【００１４】
以下、本発明の実施の形態について図面を参照しながら詳細に説明する。
【００１５】
図１は本発明の第１の実施の形態におけるコンテンツ抑制システムの構成を示す概念図である。
【００１６】
図において、１０はコンテンツ抑制システムである。そして、１１は、後述されるユーザ１２によって操作される情報端末であり、ＣＰＵ、ＭＰＵ等の演算装置、半導体メモリ、磁気ディスク、光ディスク等の記憶装置、液晶ディスプレイ、ＬＥＤ（Ｌｉｇｈｔ  Ｅｍｉｔｔｉｎｇ  Ｄｉｏｄｅ）ディスプレイ、ＣＲＴ等の表示装置、キーボード、ジョイスティック、十字キー、押しボタン、リモートコントローラ、タッチパネル等の入力装置、スピーカ、ヘッドホン、イヤホン等の音声出力装置、及び、通信インターフェイス、無線ＬＡＮ（Ｌｏｃａｌ  Ａｒｅａ  Ｎｅｔｗｏｒｋ）装置等の送受信装置を備える一種のコンピュータである。また、前記情報端末１１は、放送局２５から放送されるテレビ番組を受信して表示するテレビ受像器として機能し、さらに、前記テレビ番組を録画したり再生したりするビデオレコーダとしても機能するようになっている。
【００１７】
ここで、前記放送局２５は、テレビ番組を放送するものであればいかなる種類の放送局であってもよく、例えば、個人や企業が運営するものであってもよいし、地方自治体や公共企業体が運営するものであってもよいし、無料でテレビ番組を放送するものであってもよいし、有料でテレビ番組を放送するものであってもよいし、ユーザ１２の要望に応じたテレビ番組を放送するオンデマンド型の放送を行うものであってもよい。また、前記テレビ番組は、いかなる放送手段で放送されるものであってもよく、例えば、地上のテレビ塔から発信されるアナログ又はデジタルのテレビ電波によって放送されるものであってもよいし、放送衛星から発信されるアナログ又はデジタルのテレビ電波によって放送されるものであってもよいし、ケーブルテレビネットワークを介して発信されるアナログ又はデジタルのテレビ電波によって放送されるものであってもよいし、インターネットを介して放送されるものであってもよい。さらに、前記テレビ番組は、例えば、スポーツの試合や競技会の中継、歌、演奏、演劇等の舞台の中継、ニュース、ドラマ、映画、アニメーション、ドキュメンタリー、コマーシャル等いかなる内容のものであってもよい。さらに、前記テレビ番組は、動画でなく静止画であってもよいし、音声情報が含まれていてもよいし、含まれていなくてもよい。なお、本実施の形態においては、説明の都合上、前記テレビ番組は、スポーツの試合や競技会の中継であり、有料又は無料で地上のテレビ塔又は放送衛星から発信されるアナログ又はデジタルのテレビ電波によって放送されるものであるとして説明する。
【００１８】
また、前記情報端末１１は、例えば、車両に搭載されるナビゲーション装置であるが、据え置き電話機、携帯電話機、ＰＨＳ（Ｐｅｒｓｏｎａｌ  Ｈａｎｄｙ−Ｐｈｏｎｅ  Ｓｙｓｔｅｍ）電話機、携帯情報端末、ＰＤＡ（Ｐｅｒｓｏｎａｌ  Ｄｉｇｉｔａｌ  Ａｓｓｉｓｔａｎｔ）、パーソナルコンピュータ、ゲーム機、デジタルテレビ等いかなるものであってもよい。そして、前記情報端末１１は、必ずしも車両に搭載されるものでなくてもよいが、ここでは、乗用車、トラック、バス、オートバイ等の車両に搭載されるナビゲーション装置であるとして説明する。この場合、前記情報端末１１は、ＧＰＳ（Ｇｌｏｂａｌ  Ｐｏｓｉｔｉｏｎｉｎｇ  Ｓｙｓｔｅｍ）、地磁気センサ、距離センサ、ステアリングセンサ、ビーコンセンサ、ジャイロセンサ等によって現在位置を検出する位置検出装置を有する。そして、前記情報端末１１が前記テレビ番組を録画する記録媒体は、例えば、ビデオテープ等の磁気テープ、ＤＶＤ−Ｒ、ＤＶＤ＋Ｒ、ＤＶＤ−ＲＡＭ等のＤＶＤメディア、ハードディスク等の磁気ディスク、半導体メモリ等であるが、いかなる種類の記録媒体であってもよい。
【００１９】
さらに、前記情報端末１１は、ネットワーク２４に通信可能に接続される。なお、該ネットワーク２４は、有線又は無線の公衆通信回線網、専用通信回線網、携帯電話回線網、インターネット、イントラネット、ＬＡＮ、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよく、また、道路脇（わき）、道路上等に設置されている光ビーコン、電波ビーコン、アンテナ等を利用して路車通信を行ってもよい。本実施の形態において、前記情報端末１１は、無線ＬＡＮシステム又は携帯電話網若しくはＰＨＳ電話網を介して、前記ネットワーク２４に接続される。
【００２０】
そして、２１は、前記ネットワーク２４に通信可能に接続されたキーワード提供サーバであり、ＣＰＵ、ＭＰＵ等の演算手段、半導体メモリ、磁気ディスク、光ディスク等の記憶手段、通信インターフェイス等を備えるコンピュータである。なお、前記キーワード提供サーバ２１は単一のコンピュータでなく、複数のコンピュータが有機的に結合された、いわゆる、分散型サーバであってもよい。また、前記キーワード提供サーバ２１の中に他のシステムが構築されていてもよい。さらに、前記キーワード提供サーバ２１は、他のコンピュータの中に構築されたシステムの一つであってもよい。そして、前記キーワード提供サーバ２１は、後述されるニュースサーバ２２又はメールサーバ２３から前記情報端末１１に配信されるコンテンツをフィルタリングする、すなわち、篩（ふるい）に掛けて選別するためのフィルタリングキーワードを格納する。該フィルタリングキーワードは、各テレビ番組に対応するように設定され、前記情報端末１１に送信される。これにより、前記情報端末１１は、前記フィルタリングキーワードを使用して前記ニュースサーバ２２又はメールサーバ２３から受信したコンテンツをフィルタリングして、録画されたテレビ番組を鑑賞する前に該テレビ番組に関する情報を含むコンテンツを表示装置又は音声出力装置から出力しないようにすることができる。
【００２１】
また、ニュースサーバ２２及びメールサーバ２３は、それぞれ、ＣＰＵ、ＭＰＵ等の演算手段、半導体メモリ、磁気ディスク、光ディスク等の記憶手段、通信インターフェイス等を備え、前記ネットワーク２４に通信可能に接続されたコンピュータであり、コンテンツ提供サーバとして機能する。なお、前記ニュースサーバ２２及びメールサーバ２３は、それぞれ、単一のコンピュータでなく、複数のコンピュータが有機的に結合された、いわゆる、分散型サーバであってもよい。また、前記ニュースサーバ２２及びメールサーバ２３のそれぞれの中に他のシステムが構築されていてもよい。さらに、前記ニュースサーバ２２及びメールサーバ２３は、それぞれ、他のコンピュータの中に構築されたシステムの一つであってもよい。なお、前記ニュースサーバ２２及びメールサーバ２３は互いに一体的に構成されていてもよいし、前記キーワード提供サーバ２１と一体的に構成されていてもよい。
【００２２】
そして、前記ニュースサーバ２２は、ニュース、天気予報、企業情報、株式市況、為替市況等の各種コンテンツを配信する。この場合、前記情報端末１１は、あらかじめ前記ニュースサーバ２２に登録して、設定されたジャンルのコンテンツだけを受信するようにすることができる。また、前記メールサーバ２３は、スポーツの試合や競技会の結果、テレビ番組の案内、企業等の宣伝、商店の特売情報等の各種コンテンツを電子メールやメールマガジンとして配信する。この場合、前記情報端末１１は、あらかじめ前記メールサーバ２３に登録して、設定されたジャンルのコンテンツだけを受信するようにすることができる。なお、前記コンテンツは、主としてテキストデータ、すなわち、文字データを含むものであるが、音声データや画像データを含んでいてもよい。
【００２３】
次に、前記コンテンツ抑制システム１０を機能の観点から説明する。まず、テレビ番組の録画予約から、コンテンツをフィルタリングするまでの機能について説明する。
【００２４】
図２は本発明の第１の実施の形態におけるコンテンツ抑制システムの機能を示す第１のブロック図である。
【００２５】
本実施の形態において、情報端末１１は、テレビ番組を録画したり再生したりするビデオレコーダとしての機能を果たすビデオ機能部１３、テレビ番組の録画を予約するための情報である予約情報を格納するビデオ予約データベース１４、フィルタリングキーワードの登録を行うフィルタリングキーワード登録機能部１５、フィルタリングキーワードを格納するフィルタリングキーワードデータベース１６、及び、電子メール専用のソフトウェアであるメーラ等によってコンテンツを管理するコンテンツ管理機能部１７を有する。なお、前記ビデオ機能部１３は、テレビ番組の録画を予約するビデオ予約機能部１３ａ及びタイマーとして機能するタイマー機能部１３ｂを備える。
【００２６】
そして、ユーザ１２が情報端末１１を操作して、テレビ番組の録画を予約するためのビデオ予約を行うと、前記ビデオ予約機能部１３ａは、ビデオ予約データベース１４にアクセスして、前記テレビ番組の録画を予約するための情報である予約情報の登録を行う。これにより、予約情報がビデオ予約データベース１４に登録される。また、前記タイマー機能部１３ｂは、ビデオ予約データベース１４にアクセスして登録されている予約情報を確認し、予約されたテレビ番組の録画を開始する時刻の直前、すなわち、ビデオ録画開始直前になると、フィルタリングキーワード登録機能部１５にアクセスして、フィルタリング機能の起動を行わせる。なお、前記タイマー機能部１３ｂは、予約されたテレビ番組の録画が終了した時、すなわち、ビデオ録画終了時にも、同様に、フィルタリング機能の起動を行わせる。そして、前記フィルタリングキーワード登録機能部１５は、タイマー機能部１３ｂによって、フィルタリング機能の起動が行われると、ビデオ予約データベース１４にアクセスして登録されている予約情報を参照し、キーワード提供サーバ２１にアクセスして、前記予約されたテレビ番組に対応するフィルタリングキーワードを検索する。該フィルタリングキーワードの検索は、例えば、Ｇ（Ｇｅｍｓｔａｒ）コード（Ｒ）のようなテレビ番組を識別することができるデータを使用して行われる。
【００２７】
ここで、前記キーワード提供サーバ２１に格納されているフィルタリングキーワードは、各テレビ番組に対応するものであり、前記キーワード提供サーバ２１を管理するサーバ管理者が手作業によって設定するものである。この場合、あらかじめ取得したテレビ番組の内容に基づいて対応するフィルタリングキーワードが設定され、また、テレビ番組の終了後にも該テレビ番組の内容に基づいて対応するフィルタリングキーワードが追加設定される。例えば、前記テレビ番組がサッカーのＪリーグにおける試合の中継である場合、前記フィルタリングキーワードとして、サッカー、Ｊリーグ等のキーワードや、チーム名、選手名、試合会場名等を示すキーワードが設定される。また、試合内容、試合結果等を示すキーワードが追加設定される。そして、前記キーワード提供サーバ２１は、検索されたフィルタリングキーワードのリストを送信するためのフィルタリングキーワードリスト送信機能部２１ａを有し、該フィルタリングキーワードリスト送信機能部２１ａが、前記テレビ番組に対応するフィルタリングキーワードのリストをフィルタリングキーワード検索結果として、情報端末１１のフィルタリングキーワード登録機能部１５に送信する。
【００２８】
また、該フィルタリングキーワード登録機能部１５は、前記テレビ番組に対応するフィルタリングキーワードのリストを受信すると、フィルタリングキーワードデータベース１６にアクセスして、前記リストに含まれるフィルタリングキーワードを登録するためのキーワード登録を行う。これにより、前記予約されたテレビ番組に対応するフィルタリングキーワードがフィルタリングキーワードデータベース１６に登録される。
【００２９】
そして、前記情報端末１１がニュースサーバ２２又はメールサーバ２３からコンテンツを受信すると、コンテンツ管理機能部１７は、前記フィルタリングキーワードデータベース１６を参照して、前記コンテンツをフィルタリングする。そして、フィルタリングされたコンテンツを表示装置又は音声出力装置から出力させる。これにより、前記予約されたテレビ番組に関する情報を含むコンテンツは抑制されて出力されず、前記予約されたテレビ番組に関する情報を含まないコンテンツだけが抑制されずに出力される。
【００３０】
次に、フィルタリングを解除するときの機能について説明する。
【００３１】
図３は本発明の第１の実施の形態におけるコンテンツ抑制システムの機能を示す第２のブロック図である。
【００３２】
この場合、情報端末１１は、フィルタリングキーワードデータベース１６に登録されたフィルタリングキーワードを削除するフィルタリングキーワード削除機能部１８を有する。また、ビデオ機能部１３は、録画されたテレビ番組が再生されるとフィルタリングを解除するビデオ再生管理機能部１３ｃを備える。さらに、コンテンツ管理機能部１７は、フィルタリングされて抑制されたコンテンツの一覧を作成するコンテンツ一覧作成機能部１７ａ、及び、ユーザ１２によって選択されたコンテンツを出力させるコンテンツ出力機能部１７ｂを備える。
【００３３】
そして、ユーザ１２が情報端末１１を操作して、録画されたテレビ番組の再生を終了させるコマンド、又は、フィルタリングを解除させるフィルタリングの解除コマンドを入力すると、前記ビデオ再生管理機能部１３ｃは、フィルタリングキーワード削除機能部１８にフィルタリングキーワードの解除を通知する。すると、前記フィルタリングキーワード削除機能部１８は、フィルタリングキーワードデータベース１６にアクセスして、再生が終了されたテレビ番組に対応するフィルタリングキーワード又は前記解除コマンドによって指定されたフィルタリングキーワードの削除を行う。これにより、前記フィルタリングキーワードデータベース１６に登録されていた、再生が終了されたテレビ番組に対応するフィルタリングキーワード又は前記解除コマンドによって指定されたフィルタリングキーワードが削除される。そのため、前記予約されたテレビ番組に関する情報を含むコンテンツの抑制が解除される。
【００３４】
また、前記フィルタリングキーワード削除機能部１８は、コンテンツ一覧作成機能部１７ａに対して、再生が終了されたテレビ番組に対応するフィルタリングキーワード又は前記解除コマンドによって指定されたフィルタリングキーワードによってフィルタリングされて抑制されたコンテンツの一覧を出力する要求、すなわち、コンテンツ一覧出力要求を送信する。すると、前記コンテンツ一覧作成機能部１７ａは、該当するコンテンツの一覧を作成し、該一覧を表示装置又は音声出力装置から出力させるコンテンツ一覧出力を行う。そして、ユーザ１２は、出力された一覧に含まれるコンテンツの中から、所望のコンテンツを選択し、情報端末１１を操作して、選択したコンテンツを出力させるための、コンテンツ出力要求を入力する。すると、コンテンツ出力機能部１７ｂは、コンテンツ出力を行って、前記ユーザ１２によって選択されたコンテンツを表示装置又は音声出力装置から出力させる。これにより、ユーザ１２は、抑制されて出力されなかったコンテンツの中から所望のコンテンツを出力させることができる。
【００３５】
ところで、前記情報端末１１は、電源をオンにして起動したときに自動的にテレビ受像器として機能して、放送局２５から受信したテレビ番組の表示を開始するように、すなわち、テレビ受像器としての機能が自動起動するように設定することができるようになっている。しかし、フィルタリングキーワードが登録されているテレビ番組が未だ再生されていない場合、すなわち、抑制されたテレビ番組がある場合に、テレビ受像器としての機能が自動起動すると、前記抑制されたテレビ番組の内容を伝えるニュース等のテレビ番組が表示されてしまうことがある。そこで、前記ビデオ再生管理機能部１３ｃは、抑制されたテレビ番組がある場合、前記情報端末１１におけるテレビ受像器としての機能の自動起動を行わせないようになっている。そのため、抑制されたテレビ番組がある場合には、該テレビ番組の内容を伝えるニュース等のテレビ番組が表示されてしまうことがない。なお、抑制されたテレビ番組の内容を伝える可能性があるニュース等のテレビ番組が表示される場合には、チャンネルを自動的に切り替えて、抑制されたテレビ番組の内容を伝える可能性のないテレビ番組を表示させるようにしてもよい。
【００３６】
次に、前記構成のコンテンツ抑制システム１０の動作について説明する。
【００３７】
図４は本発明の第１の実施の形態におけるコンテンツ抑制システムの動作を示すフローチャートである。
【００３８】
まず、情報端末１１のビデオ再生管理機能部１３ｃは、抑制されたテレビ番組があるか否か、すなわち、配信抑制中であるか否かを判断する。そして、配信抑制中である場合には、情報端末１１におけるテレビ受像器としての機能の自動起動を行わせないようにする、すなわち、テレビ機能の自動起動を停止する。続いて、ユーザ１２によってビデオ予約を行うためのビデオ予約操作が行われると、ビデオ予約機能部１３ａは、ビデオ予約データベース１４にアクセスして、予約情報の登録を行う。続いて、タイマー機能部１３ｂは、ビデオ予約データベース１４にアクセスして登録されている予約情報を確認し、予約されたテレビ番組の録画を開始する時刻の直前になったか否か、すなわち、ビデオ録画開始Ｘ分前になったか否かを判断する。
【００３９】
そして、ビデオ録画開始Ｘ分前になると、前記タイマー機能部１３ｂは、フィルタリングキーワード登録機能部１５にアクセスして、フィルタリング機能の起動を行わせる。すると、前記フィルタリングキーワード登録機能部１５は、ビデオ予約データベース１４にアクセスして登録されている予約情報を参照し、キーワード提供サーバ２１にアクセスして、前記予約されたテレビ番組に対応するフィルタリングキーワードを検索する。
【００４０】
続いて、前記フィルタリングキーワード登録機能部１５は、前記テレビ番組に対応するフィルタリングキーワードのリストを検索結果としてキーワード提供サーバ２１から受信すると、前記リストに含まれるフィルタリングキーワード、すなわち、検索したフィルタリングキーワードをフィルタリングキーワードデータベース１６に登録する。続いて、タイマー機能部１３ｂは、ビデオ予約データベース１４にアクセスして登録されている予約情報を確認し、予約されたテレビ番組の録画を終了する時刻になったか否か、すなわち、ビデオ録画終了か否かを判断する。
【００４１】
そして、ビデオ録画終了になると、前記タイマー機能部１３ｂは、フィルタリングキーワード登録機能部１５にアクセスして、フィルタリング機能の起動を行わせる。すると、前記フィルタリングキーワード登録機能部１５は、再び、ビデオ予約データベース１４にアクセスして登録されている予約情報を参照し、キーワード提供サーバ２１にアクセスして、前記予約されたテレビ番組に対応するフィルタリングキーワードを検索する。ここで、前記キーワード提供サーバ２１に格納されているフィルタリングキーワードは、テレビ番組の終了後にも該テレビ番組の内容に基づいて対応するフィルタリングキーワードが設定される。前記テレビ番組がスポーツの試合であれば、試合内容、試合結果等を示すキーワードが番組内容を示すフィルタリングキーワードとして追加設定される。そのため、前記フィルタリングキーワード登録機能部１５は、追加設定された番組内容を示すフィルタリングキーワードをキーワード提供サーバ２１から受信し、フィルタリングキーワードデータベース１６に追加登録する。
【００４２】
これにより、前記情報端末１１は、ニュースサーバ２２又はメールサーバ２３からコンテンツを受信しても、予約されたテレビ番組に関する情報を含むコンテンツを抑制して出力せず、前記予約されたテレビ番組に関する情報を含まないコンテンツだけを抑制せずに出力する。
【００４３】
また、前記ビデオ再生管理機能部１３ｃは、ユーザ１２が情報端末１１を操作して、録画されたテレビ番組の再生を終了させるコマンドを入力したか否か、すなわち、ビデオ再生が終了したか否かを判断する。そして、ビデオ再生が終了した場合には、フィルタリングキーワード削除機能部１８にフィルタリングキーワードの解除を通知する。すると、前記フィルタリングキーワード削除機能部１８は、フィルタリングキーワードデータベース１６にアクセスして、再生が終了されたテレビ番組に対応するフィルタリングキーワードの削除を行う。また、前記フィルタリングキーワード削除機能部１８は、コンテンツ一覧作成機能部１７ａに対してコンテンツ一覧出力要求を送信する。すると、前記コンテンツ一覧作成機能部１７ａは、該当するコンテンツの一覧、すなわち、抑制されたコンテンツの一覧を作成し、該一覧を表示装置又は音声出力装置から出力させる。そして、コンテンツ出力機能部１７ｂは、前記一覧の中からユーザ１２によって選択されたコンテンツを表示装置又は音声出力装置から出力させる。これにより、処理が終了する。
【００４４】
次に、フローチャートについて説明する。
ステップＳ１  配信抑制中であるか否かを判断する。配信抑制中である場合はステップＳ２に進み、配信抑制中でない場合はステップＳ３に進む。
ステップＳ２  テレビ機能の自動起動を停止する。
ステップＳ３  ビデオ予約操作を行う。
ステップＳ４  ビデオ録画開始Ｘ分前になったか否かを判断する。ビデオ録画開始Ｘ分前になった場合はステップＳ５に進み、ビデオ録画開始Ｘ分前になっていない場合はビデオ録画開始Ｘ分前になるまで待機する。
ステップＳ５  予約されたテレビ番組に対応するフィルタリングキーワードを検索する。
ステップＳ６  検索したフィルタリングキーワードを登録する。
ステップＳ７  ビデオ録画終了か否かを判断する。ビデオ録画終了になった場合はステップＳ８に進み、ビデオ録画終了になっていない場合はビデオ録画終了になるまで待機する。
ステップＳ８  番組内容を示すフィルタリングキーワードとして追加登録する。
ステップＳ９  ビデオ再生が終了したか否かを判断する。ビデオ再生が終了した場合はステップＳ１０に進み、ビデオ再生が終了していない場合はビデオ再生が終了するまで待機する。
ステップＳ１０  フィルタリングキーワードの解除を通知する。
ステップＳ１１  抑制されたコンテンツの一覧を出力させる。
ステップＳ１２  一覧から選択されたコンテンツを出力させる。
【００４５】
このように、本実施の形態においては、ユーザ１２が情報端末１１を操作してテレビ番組の録画を予約すると、前記情報端末１１は、キーワード提供サーバ２１から前記予約されたテレビ番組に対応するフィルタリングキーワードを受信して登録し、該フィルタリングキーワードを使用して、ニュースサーバ２２又はメールサーバ２３から受信したコンテンツをフィルタリングし、前記予約されたテレビ番組に関する情報を含むコンテンツを抑制して出力しないようになっている。そのため、ユーザ１２が録画されたテレビ番組を再生して鑑賞する前に該テレビ番組に関する情報を含むコンテンツが出力されないので、前記ユーザ１２は、前記録画されたテレビ番組を十分に楽しむことができる。
【００４６】
また、前記録画されたテレビ番組が再生されると、登録された前記フィルタリングキーワードが削除され、前記予約されたテレビ番組に関する情報を含むコンテンツの抑制が解除されるので、前記予約されたテレビ番組に関する情報を含むコンテンツを出力することができるようになる。そのため、前記ユーザ１２は、抑制されたコンテンツを把握することができる。この場合、前記ユーザ１２は、抑制されたコンテンツの中から所望のコンテンツを選択して出力させることができるので、必要なコンテンツだけを出力させることができる。
【００４７】
さらに、前記情報端末１１は、フィルタリングキーワードが登録されているテレビ番組が未だ再生されていない場合には、テレビ受像器としての機能の自動起動を行わないようになっている。そのため、ユーザ１２が録画されたテレビ番組を再生して鑑賞する前に該テレビ番組の内容を伝えるニュース等のテレビ番組が表示されてしまうことがない。
【００４８】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４９】
図５は本発明の第２の実施の形態におけるコンテンツ抑制システムの構成を示す概念図である。
【００５０】
本実施の形態において、情報端末１１は、放送局２５から放送されるテレビ番組を受信して表示するテレビ受像器としての機能を有しておらず、また、前記テレビ番組を録画したり再生したりするビデオレコーダとしての機能も有していない。そして、本実施の形態におけるコンテンツ抑制システム１０は、図５に示されるように、ユーザ１２の住居等に配設されたホームサーバ３１を有する。該ホームサーバ３１は、ＣＰＵ、ＭＰＵ等の演算装置、半導体メモリ、磁気ディスク、光ディスク等の記憶装置、液晶ディスプレイ、ＬＥＤディスプレイ、ＣＲＴ等の表示装置、キーボード、ジョイスティック、十字キー、押しボタン、リモートコントローラ、タッチパネル等の入力装置、スピーカ、ヘッドホン、イヤホン等の音声出力装置、及び、通信インターフェイス、無線ＬＡＮ装置等の送受信装置を備える一種のコンピュータである。なお、前記ホームサーバ３１は、例えば、パーソナルコンピュータであるが、サーバ、ワークステーション、ゲーム機、デジタルテレビ、ビデオレコーダ等いかなる種類のものであってもよい。
【００５１】
そして、前記ホームサーバ３１は、放送局２５から放送されるテレビ番組を受信して表示するテレビ受像器として機能し、さらに、前記テレビ番組を録画したり再生したりするビデオレコーダとしても機能するようになっている。なお、前記ホームサーバ３１が前記テレビ番組を録画する記録媒体は、例えば、ビデオテープ等の磁気テープ、ＤＶＤ−Ｒ、ＤＶＤ＋Ｒ、ＤＶＤ−ＲＡＭ等のＤＶＤメディア、ハードディスク等の磁気ディスク、半導体メモリ等であるが、いかなる種類の記録媒体であってもよい。また、前記ホームサーバ３１は、ネットワーク２４に通信可能に接続され、ニュースサーバ２２及びメールサーバ２３から各種コンテンツを受信する。この場合、前記ホームサーバ３１は、あらかじめ前記ニュースサーバ２２及びメールサーバ２３に登録して、設定されたジャンルのコンテンツだけを受信するようにすることができる。また、前記ホームサーバ３１は、キーワード提供サーバ２１からフィルタリングキーワードを受信することができる。
【００５２】
さらに、前記ホームサーバ３１は、前記ネットワーク２４を介して、情報端末１１と通信可能に接続されているので、該情報端末１１によってリモートコントロールされるようになっている。そのため、ユーザ１２は、前記情報端末１１を操作することによって、前記ホームサーバ３１にテレビ番組を録画させたり録画の予約を行わせたりすることができる。また、前記ホームサーバ３１は、ニュースサーバ２２及びメールサーバ２３から受信したコンテンツをフィルタリングして情報端末１１に送信することができる。そのため、前記情報端末１１が車両に搭載されるナビゲーション装置である場合、ユーザ１２は車両に乗車中に情報端末１１を操作することによってテレビ番組の録画を予約することができ、かつ、フィルタリングされたコンテンツを把握することができる。そして、帰宅した後にホームサーバ３１を操作して、録画されたテレビ番組を再生させることができる。この場合、前記テレビ番組に関する情報を含むコンテンツが情報端末１１から出力されないので、前記ユーザ１２は、前記録画されたテレビ番組を十分に楽しむことができる。なお、その他の点の構成に関しては、前記第１の実施の形態と同様であるので、その説明を省略する。
【００５３】
次に、本実施の形態におけるコンテンツ抑制システム１０を機能の観点から説明する。まず、テレビ番組の録画予約から、コンテンツをフィルタリングするまでの機能について説明する。
【００５４】
図６は本発明の第２の実施の形態におけるコンテンツ抑制システムの機能を示す第１のブロック図である。
【００５５】
本実施の形態において、ホームサーバ３１は、テレビ番組を録画したり再生したりするビデオレコーダとしての機能を果たすビデオ機能部３２、テレビ番組の録画を予約するための情報である予約情報を格納するビデオ予約データベース３３、フィルタリングキーワードの登録を行うフィルタリングキーワード登録機能部３４、フィルタリングキーワードを格納するフィルタリングキーワードデータベース３５、及び、コンテンツを配信するコンテンツ配信機能部３６を有する。なお、前記ビデオ機能部３２は、テレビ番組の録画を予約するビデオ予約機能部３２ａ及びタイマーとして機能するタイマー機能部３２ｂを備える。また、前記コンテンツ配信機能部３６は、コンテンツを情報端末１１に送信するコンテンツ送信機能部３６ａを備える。
【００５６】
そして、ユーザ１２が情報端末１１を操作して、リモートコントロールによって、テレビ番組の録画を予約するためのビデオ予約を行うと、前記ビデオ予約機能部３２ａは、ビデオ予約データベース３３にアクセスして、前記テレビ番組の録画を予約するための情報である予約情報の登録を行う。これにより、予約情報がビデオ予約データベース３３に登録される。また、前記タイマー機能部３２ｂは、ビデオ予約データベース３３にアクセスして登録されている予約情報を確認し、予約されたテレビ番組の録画を開始する時刻の直前、すなわち、ビデオ録画開始直前になると、フィルタリングキーワード登録機能部３４にアクセスして、フィルタリング機能の起動を行わせる。なお、前記タイマー機能部３２ｂは、予約されたテレビ番組の録画が終了した時、すなわち、ビデオ録画終了時にも、同様に、フィルタリング機能の起動を行わせる。そして、前記フィルタリングキーワード登録機能部３４は、タイマー機能部３２ｂによってフィルタリング機能の起動が行われると、ビデオ予約データベース３３にアクセスして登録されている予約情報を参照し、キーワード提供サーバ２１にアクセスして、前記第１の実施の形態と同様に、前記予約されたテレビ番組に対応するフィルタリングキーワードを検索する。
【００５７】
ここで、前記キーワード提供サーバ２１は、前記第１の実施の形態と同様に、各テレビ番組に対応して設定されたフィルタリングキーワードが格納され、また、テレビ番組の終了後にも該テレビ番組の内容に基づいて対応するフィルタリングキーワードが追加設定される。そして、前記キーワード提供サーバ２１は、検索されたフィルタリングキーワードのリストを送信するためのフィルタリングキーワードリスト送信機能部２１ａを有し、該フィルタリングキーワードリスト送信機能部２１ａが、前記テレビ番組に対応するフィルタリングキーワードのリストをフィルタリングキーワード検索結果として、ホームサーバ３１のフィルタリングキーワード登録機能部３４に送信する。
【００５８】
また、該フィルタリングキーワード登録機能部３４は、前記テレビ番組に対応するフィルタリングキーワードのリストを受信すると、フィルタリングキーワードデータベース３５にアクセスして、前記リストに含まれるフィルタリングキーワードを登録するためのキーワード登録を行う。これにより、前記予約されたテレビ番組に対応するフィルタリングキーワードがフィルタリングキーワードデータベース３５に登録される。
【００５９】
そして、前記ホームサーバ３１がニュースサーバ２２又はメールサーバ２３からコンテンツを受信すると、コンテンツ送信機能部３６ａは、前記フィルタリングキーワードデータベース３５を参照して、前記コンテンツをフィルタリングする。そして、フィルタリングされたコンテンツを情報端末１１に送信する。これにより、前記予約されたテレビ番組に関する情報を含むコンテンツは抑制されて情報端末１１に送信されず、前記予約されたテレビ番組に関する情報を含まないコンテンツだけが抑制されずに情報端末１１に送信される。したがって、ユーザ１２が情報端末１１を操作して、コンテンツを表示装置又は音声出力装置から出力させても、前記予約されたテレビ番組に関する情報を含むコンテンツは抑制されて出力されることがない。
【００６０】
次に、フィルタリングを解除するときの機能について説明する。
【００６１】
図７は本発明の第２の実施の形態におけるコンテンツ抑制システムの機能を示す第２のブロック図である。
【００６２】
この場合、ホームサーバ３１は、フィルタリングキーワードデータベース３５に登録されたフィルタリングキーワードを削除するフィルタリングキーワード削除機能部３７を有する。また、ビデオ機能部３２は、録画されたテレビ番組が再生されるとフィルタリングを解除するビデオ再生管理機能部３２ｃを備える。さらに、コンテンツ配信機能部３６は、フィルタリングされて抑制されたコンテンツの一覧を作成して送信するコンテンツ一覧送信機能部３６ｂを備える。
【００６３】
そして、ユーザ１２が情報端末１１を操作して、リモートコントロールによって、録画されたテレビ番組の再生を終了させるコマンド、又は、フィルタリングを解除させるフィルタリングの解除コマンドを入力すると、前記ビデオ再生管理機能部３２ｃは、フィルタリングキーワード削除機能部３７にフィルタリングキーワードの解除を通知する。すると、前記フィルタリングキーワード削除機能部３７は、フィルタリングキーワードデータベース３５にアクセスして、再生が終了されたテレビ番組に対応するフィルタリングキーワード又は前記解除コマンドによって指定されたフィルタリングキーワードの削除を行う。これにより、前記フィルタリングキーワードデータベース３５に登録されていた、再生が終了されたテレビ番組に対応するフィルタリングキーワード又は前記解除コマンドによって指定されたフィルタリングキーワードが削除される。そのため、前記予約されたテレビ番組に関する情報を含むコンテンツの抑制が解除される。
【００６４】
また、前記フィルタリングキーワード削除機能部３７は、コンテンツ一覧送信機能部３６ｂに対して、再生が終了されたテレビ番組に対応するフィルタリングキーワード又は前記解除コマンドによって指定されたフィルタリングキーワードによりフィルタリングされて抑制されたコンテンツの一覧を情報端末１１に送信する要求、すなわち、コンテンツ一覧送信要求を送信する。すると、前記コンテンツ一覧送信機能部３６ｂは、該当するコンテンツの一覧を作成し、該一覧を情報端末１１に送信するコンテンツ一覧送信を行う。これにより、抑制されたコンテンツの一覧が情報端末１１の表示装置又は音声出力装置から出力される。
【００６５】
そして、ユーザ１２は、出力された一覧に含まれるコンテンツの中から、所望のコンテンツを選択し、情報端末１１を操作して、選択したコンテンツを送信させるための、コンテンツ送信要求をホームサーバ３１に送信する。すると、コンテンツ送信機能部３６ａは、コンテンツ送信を行って、前記ユーザ１２によって選択されたコンテンツを情報端末１１に送信する。これにより、前記コンテンツが情報端末１１の表示装置又は音声出力装置から出力されるので、ユーザ１２は、抑制されて出力されなかったコンテンツの中から所望のコンテンツを把握することができる。
【００６６】
このように、本実施の形態においては、ユーザ１２が情報端末１１を操作してリモートコントロールによってテレビ番組の録画を予約すると、ホームサーバ３１は、キーワード提供サーバ２１から前記予約されたテレビ番組に対応するフィルタリングキーワードを受信して登録し、該フィルタリングキーワードを使用して、ニュースサーバ２２又はメールサーバ２３から受信したコンテンツをフィルタリングし、前記予約されたテレビ番組に関する情報を含むコンテンツを抑制して前記情報端末１１に送信しないようになっている。そのため、ユーザ１２がホームサーバ３１によって録画されたテレビ番組を再生して鑑賞する前に、該テレビ番組に関する情報を含むコンテンツが情報端末１１から出力されないので、前記ユーザ１２は、帰宅して、前記ホームサーバ３１に録画されたテレビ番組を十分に楽しむことができる。
【００６７】
また、前記録画されたテレビ番組が再生されると、登録された前記フィルタリングキーワードが削除され、前記予約されたテレビ番組に関する情報を含むコンテンツの抑制が解除されるので、前記予約されたテレビ番組に関する情報を含むコンテンツを情報端末１１に送信することができるようになる。そのため、前記ユーザ１２は、抑制されたコンテンツを前記情報端末１１から把握することができる。この場合、前記ユーザ１２は、抑制されたコンテンツの中から所望のコンテンツを選択して前記情報端末１１に送信させることができるので、必要なコンテンツだけを把握することができる。
【００６８】
なお、本発明は前記実施の形態に限定されるものではなく、本発明の趣旨に基づいて種々変形させることが可能であり、それらを本発明の範囲から排除するものではない。
【図面の簡単な説明】
【００６９】
【図１】本発明の第１の実施の形態におけるコンテンツ抑制システムの構成を示す概念図である。
【図２】本発明の第１の実施の形態におけるコンテンツ抑制システムの機能を示す第１のブロック図である。
【図３】本発明の第１の実施の形態におけるコンテンツ抑制システムの機能を示す第２のブロック図である。
【図４】本発明の第１の実施の形態におけるコンテンツ抑制システムの動作を示すフローチャートである。
【図５】本発明の第２の実施の形態におけるコンテンツ抑制システムの構成を示す概念図である。
【図６】本発明の第２の実施の形態におけるコンテンツ抑制システムの機能を示す第１のブロック図である。
【図７】本発明の第２の実施の形態におけるコンテンツ抑制システムの機能を示す第２のブロック図である。
【符号の説明】
【００７０】
１０    コンテンツ抑制システム
１１    情報端末
２１    キーワード提供サーバ
２２    ニュースサーバ
２３    メールサーバ
３１    ホームサーバ
【図１】
2005210501.tif 000003
【図２】
2005210501.tif 000004
【図３】
2005210501.tif 000005
【図４】
2005210501.tif 000006
【図５】
2005210501.tif 000007
【図６】
2005210501.tif 000008
【図７】
2005210501.tif 000009